(57)【要約】【課題】本発明はＡＣアダプタに関し、出力コネクタや出力コードの収納状態の改良を図ることを課題とする。【解決手段】本発明のＡＣアダプタは外装ケース１１，１２と、電源プラグ１３と、外装ケース１１，１２内部には電源プラグ１３から入力されるＡＣ入力を所要の電圧、電流の直流に変換する電気回路と、外装ケース１１の上面に形成した出力コネクタ１４の外形に準じた形の凹部１１ａと、外装ケース１１と外装ケース１２に形成した孔部で外装ケース１１と外装ケース１２を貫通する孔１１ｂと、出力コネクタ１４に直接つながっている出力コード１５と電源プラグ１３を収納する溝１１ｃと、出力コード１５を収納する溝部１３ａと、出力コード１５を溝部１３ａに導く曲面部１３ｂと、外装ケース１１の上面と外装ケース１２の下面を若干突出させた鍔状部１１ｅとからなる。【選択図】　図１
2004022427.tif 000002
【特許請求の範囲】
【請求項１】
商用交流電源を所要の電圧、電流の直流に変換する電気回路を格納した外装ケースを備える本体と、前記本体の外装ケースから突出させて備え、交流電源コンセントに差し込む電源プラグと、前記本体の外装ケースから引き出される出力コードおよびその先端の出力コネクタを備え、
前記外装ケースの対向する上下２面のうち少なくとも１面に、前記出力コネクタを挿入保持させる凹部を設けたことを特徴とするＡＣアダプタ。
【請求項２】
前記出力コネクタを挿入保持する凹部に、対向する上下２面を貫通する孔部を設けたことを特徴とする請求項１記載のＡＣアダプタ。
【請求項３】
前記電源プラグの樹脂筐体部に、前記出力コードを収納する溝部とその溝部に出力コードを導く曲面部を設けたことを特徴とする請求項１記載のＡＣアダプタ。
【請求項４】
外装ケースの対向する上下２面には、それぞれの周縁を、前記２面間に形成される側面壁よりも外側に突出する鍔状部を設け、両鍔状部間の側面壁に出力コードを巻きつけて保持するようにしたことを特徴とする請求項１記載のＡＣアダプタ。
【発明の詳細な説明】
【０００１】
【発明の属する技術分野】
本発明は電源装置に関し、詳しくは出力コネクタや出力コードの収納状態を改良したＡＣアダプタに関する。
【０００２】
【従来の技術】
図３は従来の一般的なＡＣアダプタの外観図である。このようなＡＣアダプタは商用交流電源のコンセントに差し込む電源プラグ１を、電気回路を内蔵した本体２から突出させて備え、一方、本体１から出力コード３を引き出してその先端には出力プラグ４が取り付けられたものであり、電源プラグ１をコンセントに差し込むことにより出力コード３を経て出力プラグ４から所要の電圧、電流の直流出力が得られる構造である。
【０００３】
【発明が解決しようとする課題】
このような従来のＡＣアダプタは広く使われているが、最近のモバイル機器の普及に伴い、機器とＡＣアダプタを一緒に携帯することが多くなり、ＡＣアダプタから飛び出ている出力コネクタまたは出力プラグおよび出力コードが携帯時の邪魔になることがある。また、飛び出ている出力コードを誤って傷つけたり、破損することもある。
【０００４】
また、出力コネクタや出力プラグの金属接点部に異物やごみが付着して使用時に電気的な接触不良を起こしたり、誤って加えられた外力によって変形してしまい使用できなくなったりすることもある。
【０００５】
このようなＡＣアダプタの問題を解消するために、特開２００１−９５２６０号公報には、本体外装ケースの一面に出力プラグを挿入保持させる孔部を設けて、孔部の開口面周辺を、孔部を設けた外装ケース面よりも後退させ、出力プラグを挿入保持して、出力プラグが外形から大きく突出しないようにし、さらに外装ケースの側面に形成される鍔状部の側面壁に出力コードを巻き付けて保持するようにしたＡＣアダプタが提案されている。これによって、出力プラグが保護された状態で格納でき、また、出力コードも整理された状態で収納できるようになっている。
【０００６】
しかしながら、この場合においても、出力プラグが外形から若干飛び出しているので、問題がすべて解消されたわけではない。
【０００７】
本発明は、上記問題を解消し、ＡＣアダプタにおいて、出力コネクタが外形から突出せずに保護された状態で格納でき、その一方で、出力コネクタの取り出しやすさを損なうことがないようにするものである。また、出力コードも外形から突出せずに保護された状態で格納できるようにするものである。
【０００８】
【課題を解決するための手段】
上記目的を達成するために、本発明のＡＣアダプタは、商用交流電源を所要の電圧、電流の直流に変換する電気回路を格納した外装ケースを備える本体と、前記本体の外装ケースから突出させて備え、交流電源コンセントに差し込む電源プラグと、前記本体の外装ケースから引き出される出力コードおよびその先端の出力コネクタを備え、
前記外装ケースの対向する上下２面のうち少なくとも１面に、前記出力コネクタを挿入保持させる凹部を設けたものである。このＡＣアダプタによれば、出力コネクタが外形から突出せずに保護された状態で格納できるため、携帯性が良くなるとともに、出力コネクタの金属接点部に異物やごみが付着して使用時に電気的な接触不良を起こしたり、誤って加えられた外力によって変形してしまい使用できなくなったりすることがない。
【０００９】
また、本発明のＡＣアダプタは、上記において、出力コネクタを挿入保持する凹部に、対向する上下２面を貫通する孔部を設けたことにより、出力コネクタを外装ケースからまったく飛び出さない位置に格納しても、取り出すことが容易になっている。
【００１０】
さらに、本発明のＡＣアダプタは、出力コネクタを挿入保持する凹部を設けた面と同一面にある前記電源プラグの樹脂筐体部に、前記出力コードを収納する溝部とその溝部に出力コードを導く曲面部を設けたことと、外装ケースの対向する上下２面には、それぞれの周縁を、前記２面間に形成される側面壁よりも外側に突出する鍔状部を設け、両鍔状部間の側面壁に出力コードを巻きつけたことによって、出力コードが外形から突出せずに保護された状態で格納できるようになっており、携帯性が向上するとともに、飛び出ている出力コードを誤って傷つけたり、破損することがない。
【００１１】
【発明の実施の形態】
本発明は、ＡＣアダプタの対向する上下２面の外装ケース面のうち少なくとも１面に、出力コードの先端の出力コネクタを保持するための出力コネクタ外形に準じた形の凹部を設けたものである。この凹部は出力コネクタが外装ケース面よりも飛び出さない位置に配設してあるもので、このようにすることによって、出力コネクタを差し込んで保持させた場合、ＡＣアダプタ外形から出力コネクタが飛び出ない状態で収納することができる。
【００１２】
また、対向する上下２面の外装ケース面のうち少なくとも１面に設けられた凹部の略中央に、対向する上下２面の外装ケースを貫通する孔部を設ける。孔部は指が通るサイズが望ましいが、サイズの制約によっては、細い棒が通るサイズの孔部でも良い。このようにすれば、出力コネクタを取り出す場合、出力コネクタを無理に引き出すのではなく、押すことによって取り出せるため、大変容易に取り出すことができる。
【００１３】
さらに、凹部が設けられている面にある前記電源プラグの樹脂筐体部に、前記出力コードを収納する溝部とその溝部に出力コードを導く曲面部を設け、上下２面の外装ケースの対向する面には、その２面間に形成される側面壁よりも外側に突出する鍔上部を設ける。外装ケースから引き出される出力コードを側面壁の周囲に巻き付けていき、出力コネクタを溝部に収納する時に出力コードを電源プラグの曲面部に沿って曲げ、さらにその出力コードを凹部に収納することによって、出力コネクタと出力コードを外装ケース外形から飛び出さずに収納できるので、携帯性が格段に向上する。
【００１４】
（実施例）
図１は本発明におけるＡＣアダプタ本体の外観斜視図である。図２は本発明のＡＣアダプタの外観斜視図で出力コネクタ１４を収納した状態を示す物である。１０は本体、１１，１２は本体の外郭を構成する外装ケース、１３は商用交流電源のコンセントに差し込まれる電源プラグである。外装ケース１１，１２内部には電源プラグ１３から入力されるＡＣ入力を所要の電圧、電流の直流に変換する電気回路が格納されている。
【００１５】
１１ａは外装ケース１１の上面に形成した出力コネクタ１４の外形に準じた形の凹部である。出力コネクタ１４には、嵌合するコネクタとの接続を保つためのバネがとりつけられており、その接続を解除するために指で押すことのできる解除用の支点１４ａ，１４ｂが両側に設けられている。本実施例では、その両側に設けられている解除用支点１４ａ，１４ｂの弾性力をコネクタ収納用の保持力として利用し収納保持している。本実施例では、コネクタの厚み方向で外装ケースより飛び出しているが、外装ケース全体または一部の厚みをまして、コネクタを完全に飛び出ないようにしても良い。
【００１６】
１１ｂは外装ケース１１と外装ケース１２に形成した孔部で外装ケース１１と外装ケース１２を貫通する孔となっている。大きさは、指が通るサイズを確保している。また、１１ｂは、出力コネクタ１４の金属接点部を避けた樹脂筐体部の位置に構成している。
【００１７】
１１ｃは出力コネクタ１４に直接つながっている出力コード１５と電源プラグ１３を収納する溝である。１３ａは出力コード１５を収納する溝部で、１３ｂは出力コード１５を溝部１３ａに導く曲面部である。
【００１８】
外装ケース１１の側面壁１１ｄには出力コード１５を巻きつけれられるようにしている。外装ケース１１の上面と外装ケース１２の下面を若干突出させて鍔状部１１ｅとし、側面１１ｄに巻きつけた出力コード１５が上下にずれないようにしている。また、鍔状部１１ｅからそれぞれ対向する面にむかって、その側面壁１１ｄを内側に傾斜させ、略中央で交差させるようにしている。これによって、コードの巻き高さが小さくなるようにしている。
【００１９】
図２に本発明のＡＣアダプタの収納状態を示す。１４は本体１０の外装ケース１１，１２から引き出された出力コード１５の先端に接続された出力コネクタである。収納する場合は、電源プラグ１３を９０度回転させて折りたたみ、図２の状態にし、出力コード１５を外装ケース１１，１２の側面壁１１ｄに巻き付けていく。出力コード１５を数回巻きつけた後、収納する凹部１１ｃに出力コード１５を収納して、巻き付けの最後に残った出力コネクタ１４を外装ケース１１の溝部１１ａに収納する。
【００２０】
溝部１１ａの形状寸法は収納する出力コネクタ１４の外形寸法に対して、若干大きい寸法形状に設定している。ただし、出力コネクタ１４が嵌合するコネクタとの接続を保つためのばねを解除する目的で設けている解除用支点１４ａ，１４ｂ間の寸法に対しては、若干小さい寸法形状にしている。これによって、出力コネクタ１４を収納保持するための収納保持力をもたせている。また、ＡＣアダプタを使用するときには、外装ケース１１，１２を貫通する孔部１１ｂから指で出力コネクタ１４を押し出して使用する。
【００２１】
なお、本体１０の外装ケース１１，１２は、略円盤状に形成したが、他の形状、例えば球面体や多面体に形成しても良いし、直方体あるいは円柱形状に形成しても良い。
【００２２】
また、出力コネクタ１４は、ＥＩＪＡ規格等の丸型ＤＣプラグでも良い。この場合は、丸型ＤＣプラグの樹脂部を外装ケースに一体的に設けた樹脂弾性リブに系止してＤＣプラグを保持させる。
【００２３】
さらに、貫通孔のサイズは、指が余裕を持って通る大きさが望ましいが、その大きさに制約があれば、例えば、ボールペンの印字側とは反対側を使って押し出すことができるサイズでもよい。
【００２４】
【発明の効果】
以上のように本発明によれば、ＡＣアダプタのＤＣ出力コードの先端の出力コネクタを、不使用時には外装ケースに差し込んで保持する構成としたので、ＡＣアダプタの携帯性が確保され、また出力コネクタの不慮の破損や汚れによる接触不良を少なくすることができる。
また本発明では、ＡＣアダプタを使用する時には、出力コネクタを収納する溝部のある外装ケースに対向する外装ケース側から、外装ケースに設けた貫通孔を通してコネクタを押し出すことによって取り出す構成としたので、出力コネクタを外装ケースからまったく飛び出さない位置に収納しても容易に取り出すことができる。
【００２５】
さらに、外装ケースの上下面の周縁に鍔状部を設けて、外装ケース側壁外周に出力コードを巻きつけて収納するので、出力コードへの傷つきや巻き崩れを防ぐことができ、きちんと整理され、しかもコンパクトな収納状態が得られ、携帯性や格納性が格段に向上するものとなる。
【図面の簡単な説明】
【図１】本発明を説明する外観斜視図
【図２】本発明のＡＣアダプタに出力コネクタ１４を収納した状態を示す外観斜視図
【図３】従来のＡＣアダプタの外観斜視図
【符号の説明】
１０　ＡＣアダプタ本体
１１　外装ケース
１１ａ　外装ケース凹部
１１ｂ　外装ケース貫通孔
１１ｃ　コード及びプラグ収納溝
１１ｄ　外装ケース側面
１１ｅ　外装ケース鍔部
１２　外装ケース
１３　電源プラグ
１３ａ　出力コードを収納する溝部
１３ｂ　出力コード１５を溝部１３ａに導くための曲面部
１４　出力コネクタ
１４ａ　出力コネクタの解除用支点
１４ｂ　出力コネクタの解除用支点
１５　出力コード
【図１】
2004022427.tif 000003
【図２】
2004022427.tif 000004
【図３】
2004022427.tif 000005